(57)【要約】【課題】ドレンホースからの排水が外部に漏れることがないドレンホース継手を提供する。【解決手段】可撓性を有するドレンホース２と、ドレンホース２からの排水を案内する配管５とを接続するためのドレンホース継手であって、ドレンホース２を挿入するための挿入口１Ｋが形成される基端側に配管５の内側に嵌合する筒状の嵌合部３を備え、挿入口１Ｋとは反対側となる先端側に嵌合部３内に挿入されるドレンホース２の外面に食い込んで挿入口１Ｋからのドレンホース２の抜けを防止するための係止爪４を備えている。【選択図】図６
2020056441.tif 000002
【特許請求の範囲】
【請求項１】
可撓性を有するドレンホースと、該ドレンホースからの排水を案内する配管とを接続するためのドレンホース継手であって、
前記ドレンホースを挿入するための挿入口が形成される基端側に前記配管の内側に嵌合する筒状の嵌合部を備え、前記挿入口とは反対側となる先端側に前記挿入口を介して嵌合部内に挿入される前記ドレンホースの外面に係止で該挿入口からの該ドレンホースの抜けを防止するための係止爪を備えていることを特徴とするドレンホース継手。
【請求項２】
前記係止爪は、径外方向に撓み可能な弾性爪であり、周方向に間隔をあけて複数配置されており、前記ドレンホースの外周形状が、凸部と凹部とが軸方向に交互に有する波型状に形成され、前記ドレンホースを前記挿入口から挿入して先端側に備えている前記複数の弾性爪に差し掛かり該ドレンホースの凸部が該複数の弾性爪を乗り越える時に、前記複数の弾性爪が凸部により径方向外側に撓み変形可能となるように、該複数の弾性爪の外面と前記配管の内面との間に撓み代を備えていることを特徴とする請求項１に記載のドレンホース継手。
【請求項３】
前記嵌合部の先端から先端側に延びる脚部を、周方向全域に所定間隔を置いて３つ以上備え、前記係止爪を、前記脚部のうちの２つ以上の脚部の先端に備えていることを特徴とする請求項１又は２に記載のドレンホース継手。
【請求項４】
前記各脚部の外面及び内面が、先端側ほど内側に位置する略同一傾斜角度を有する傾斜面に構成されていることを特徴とする請求項３に記載のドレンホース継手。
【発明の詳細な説明】
【技術分野】
【０００１】
本発明は、ドレンホース継手に関する。
【０００２】
従来、可撓性を有するドレンホースと、該ドレンホースからの排水を案内する配管とを接続するためにドレンホース継手が用いられる。このドレンホース継手は、ドレンホースの排水側端部を径方向両側から挟み込むように重ね合わせることによって、合わせ面のうちの一方の合わせ面に備える被係止部に他方の合わせ面に備える係止部が係止することで両者が係止固定される２つの半割部材を備えている（例えば非特許文献１参照）。
【０００３】
図９〜図１１（ａ），（ｂ）に示すように、２つの半割部材１３，１３には、２種類のサイズ（例えば１４ｍｍと１６ｍｍ）のドレンホース１１，１２を挟み込むことができるように、ドレンホース挿入方向手前側に大径のドレンホース１１を挟み込むための大径内径部１３Ａを備えるとともに、ドレンホース挿入方向奥側に小径のドレンホース１２を挟み込むための小径内径部１３Ｂを備えている。なお、大径内径部１３Ａ及び小径内径部１３Ｂのそれぞれには、内側に突出してドレンホース１１又は１２の谷部に食い込んでドレンホース１１又は１２の２つの半割部材１３，１３からの抜けを防止するための突条１４を備えている。
【０００４】
また、２つの半割部材１３，１３の外面のそれぞれには、２つの異なる内径（例えば２６．４５ｍｍと３２．５５ｍｍ）を有する配管それぞれに内嵌することができるように、配管挿入方向手前側に大径外径部１３Ｃを備えるとともに、配管挿入方向奥側に小径外径部１３Ｄを備えている。なお、大径外径部１３Ｃのドレンホース挿入側端には、配管への挿入位置を規制するための鍔部１３Ｆを備えている。
【０００５】
図１０（ａ），（ｂ）及び図１１（ｂ）に示すように、上記非特許文献１のドレンホース継手を用いて例えば大径（１６ｍｍ）のドレンホース１１を小径（２６．４５ｍｍ）の配管１５に接続する場合には、ドレンホース１１の排水側端部を径方向両側から挟み込むように２つの半割部材１３，１３を重ね合わせることによって、２つの半割部材１３，１３が係止固定されるとともに、半割部材１３，１３の大径内径部（図１１（ｂ）では上方に位置している）１３Ａ，１３Ａの突条１４，１４によりドレンホース１１が固定される。この状態から２つの半割部材１３，１３の小径外径部１３Ｄ，１３Ｄに接着剤をハケ１６を用いて塗布した後、配管１５に小径外径部１３Ｄ，１３Ｄを内嵌することによって、ドレンホース１１が挟み込まれた２つの半割部材１３，１３の小径外径部１３Ｄ，１３Ｄが配管１５に接着固定される。
【先行技術文献】
【非特許文献】
【０００６】
【非特許文献１】未来工業株式会社発行の「管材総合カタログ  ２０１８−１９  ＶＯＬＵＭＥ２０」ｐ４３１
【発明の概要】
【発明が解決しようとする課題】
【０００７】
図１１（ｂ）に示すように、ドレンホース継手によりドレンホース１１を配管１５に接続した状態では、ドレンホース１１の下端１１Ａが、配管１５の上端面１５Ｕよりも高い位置にあるため、ドレンホース１１下端１１Ａから排出される排水がドレンホース継手の半割部材１３，１３の合わせ面１３Ｆ，１３Ｆの隙間を通して外部に漏れてしまう恐れがあり（図１１（ｂ）の矢印で示している）、改善の余地があった。
【０００８】
本発明は前述の状況に鑑み、解決しようとするところは、ドレンホースからの排水が外部に漏れることがないドレンホース継手を提供するものである。
【課題を解決するための手段】
【０００９】
本発明のドレンホース継手は、前述の課題解決のために、可撓性を有するドレンホースと、該ドレンホースからの排水を案内する配管とを接続するためのドレンホース継手であって、前記ドレンホースを挿入するための挿入口が形成される基端側に前記配管の内側に嵌合する筒状の嵌合部を備え、前記挿入口とは反対側となる先端側に前記挿入口を介して嵌合部内に挿入される前記ドレンホースの外面に係止で該挿入口からの該ドレンホースの抜けを防止するための係止爪を備えていることを特徴としている。
【００１０】
本発明によれば、嵌合部を配管の内側に嵌合させることによって、ドレンホース継手を配管に装着できる。また、嵌合部内に挿入されるドレンホースの先端部の外面に挿入口とは反対側となる先端側に備えた係止爪が係止することによって、挿入口からのドレンホースの抜けを防止することができ、しかも、ドレンホースの先端の排出口を嵌合部よりも先端側（配管内部の奥側）に位置させることができるので、ドレンホースの先端から排出される排水が嵌合部の外面と配管の内面との間から漏れることがない。
【００１１】
又、本発明のドレンホース継手は、前記係止爪が、径外方向に撓み可能な弾性爪であり、周方向に間隔をあけて複数配置されており、前記ドレンホースの外周形状が、凸部と凹部とが軸方向に交互に有する波型状に形成され、前記ドレンホースを前記挿入口から挿入して先端側に備えている前記複数の弾性爪に差し掛かり該ドレンホースの凸部が該複数の弾性爪を乗り越える時に、前記複数の弾性爪が凸部により径方向外側に撓み変形可能となるように、該複数の弾性爪の外面と前記配管の内面との間に撓み代を備えていることが好ましい。
【００１２】
上記のように、ドレンホースを挿入口から挿入して先端側に備えている複数の弾性爪に差し掛かりドレンホースの凸部が複数の弾性爪を乗り越える時に、複数の弾性爪が凸部に押されて径方向外側に撓み変形することが、複数の弾性爪の外面と配管の内面との間に備えた撓み代によって許容される。そして、複数の弾性爪が凹部に差し掛かると、径方向外側に撓んだ複数の弾性爪が径方向内側に戻ることで凹部に係止し、ドレンホース継手からのドレンホースの抜けを確実に防止できる。
【００１３】
又、本発明のドレンホース継手は、前記嵌合部の先端から先端側に延びる脚部を、周方向全域に所定間隔を置いて３つ以上備え、前記係止爪が、前記脚部のうちの２つ以上の脚部の先端に備えていることが好ましい。
【００１４】
上記のように、嵌合部の先端から先端側に延びる脚部を、周方向全域に所定間隔を置いて３つ以上備えることによって、ドレンホースを嵌合部に挿入する際に、脚部がドレンホースの案内部材として機能することで、ドレンホースの直進性を維持することができ、係止爪をドレンホースの外面に確実に係止させることができる。また、係止爪を脚部の先端に備えることによって、例えばドレンホースが嵌合部に対して斜めに傾いた姿勢になったときに、係止爪を脚部の基端に備えた場合に比べてドレンホースから係止爪に作用する負荷（力）を小さくすることができ、係止爪が破損しにくくなる。
【００１５】
又、本発明のドレンホース継手は、前記各脚部の外面及び内面が、先端側ほど内側に位置する略同一傾斜角度を有する傾斜面に構成されていることが好ましい。
【００１６】
上記のように、各脚部の外面及び内面が、先端側ほど内側に位置する略同一傾斜角度を有する傾斜面に構成されているので、外面の傾斜面の案内作用により、配管に対してドレンホース継手をスムーズに挿入することができるだけでなく、内面の傾斜面の案内作用によりドレンホース継手に対してドレンホースをスムーズに挿入することができる。
【発明の効果】
【００１７】
本発明によれば、挿入口とは反対側となる先端側に嵌合部内に挿入されるドレンホースの外面に係止で挿入口からのドレンホースの抜けを防止するための係止爪を周方向に間隔を置いて備えることによって、ドレンホースからの排水が外部に漏れることがないドレンホース継手を提供することができる。
【図面の簡単な説明】
【００１８】
【図１】ドレンホース継手を上から見た斜視図である。
【図２】ドレンホース継手を下から見た斜視図である。
【図３】同ドレンホース継手の正面図である。
【図４】図３におけるＩＶ−ＩＶ線断面図である。
【図５】同ドレンホース継手の平面図である。
【図６】同ドレンホース継手の底面図である。
【図７】２６．４５ｍｍのエルボ配管に同ドレンホース継手を嵌合した状態を示す断面図である。
【図８】３２．５５ｍｍのエルボ配管に同ドレンホース継手を嵌合した状態を示す断面図である。
【図９】従来のドレンホース継手の分解斜視図である。
【図１０】従来のドレンホース継手を用いてドレンホースと配管とを接続する過程を示し、（ａ）は接続直前の分解斜視図、（ｂ）はドレンホースをドレンホース継手に接続した状態を示す斜視図である。
【図１１】（ａ）は、１４ｍｍのドレンホースを従来のドレンホース継手に装着した状態を示す断面図、（ｂ）１６ｍｍのドレンホースを装着した従来のドレンホース継手を配管に接続した状態を示す断面図である。
【発明を実施するための形態】
【００１９】
以下、本発明の実施形態を図面に基づいて説明する。
【００２０】
本発明のドレンホース継手について説明する。図１〜図６に、ドレンホース継手１を示し、このドレンホース継手１は、ドレンホース２を挿入するための挿入口１Ｋが形成される基端側に配管の内側に嵌合する筒状の嵌合部３と、挿入口１Ｋとは反対側となる先端側に嵌合部３内に挿入されるドレンホース２（図７参照）の外面に係止して挿入口１Ｋからのドレンホース２の抜けを防止するための複数の係止爪４と、を備えている。なお、ドレンホース継手１は、各種の合成樹脂材料で一体形成されるが、合成ゴムあるいは金属材料等で構成してもよい。
【００２１】
嵌合部３は、２種類の内径（実際には２６．４５ｍｍと３２．５５ｍｍの径）を有する配管（図７及び図８に示す９０度屈曲したエルボ配管５，６）に内嵌することができるように、大きな外径寸法を有する円筒状の大径嵌合部３Ａと小さな外径を有する円筒状の小径嵌合部３Ｂと、を備えている。なお、大径嵌合部３Ａの軸方向（嵌合方向）の長さと小径嵌合部３Ｂの軸方向（嵌合方向）の長さとが略同一に構成されている。また、大径嵌合部３Ａの肉厚と小径嵌合部３Ｂの肉厚とが略同一に構成されている（図４参照）。
【００２２】
配管としては、前記エルボ配管の他、円弧状に湾曲した配管や、直線状に延びる配管等であってもよい。
【００２３】
大径嵌合部３Ａは、基端の内側に前記挿入口１Ｋが形成されるとともに、配管へ挿入した時に配管の挿入口側の端面に当接して挿入位置を規制する規制部を構成するフランジ部３Ｆが形成されている。
【００２４】
小径嵌合部３Ｂは、大径嵌合部３Ａの外径よりも小さな外径を有し、小径嵌合部３Ｂと大径嵌合部３Ａとの接合部には、段差部３Ｄが形成されている。この段差部３Ｄが、小径嵌合部３Ｂを配管へ挿入した時に配管の挿入口側の端面に当接して挿入位置を規制する規制部を構成する。
【００２５】
ドレンホース２は、可撓性を有する合成樹脂材料で構成され、図７に示すように、ドレンホース２の外周形状が円環状の凸部２Ａと円環状の凹部２Ｂとが軸方向に交互に有する波型状に形成されている。
【００２６】
図２に示すように、小径嵌合部３Ｂの先端から先端側に延びる脚部７の８つを、周方向に同一間隔を置いて備えている。いずれの脚部７も、同一幅で、かつ、同一長さに構成されている。また、脚部７の長さは、小径嵌合部３Ｂの長さよりも短く構成されている。
【００２７】
図２及び図４に示すように、各脚部７の先端には、径方向内側に突出する前記係止爪４が形成されている。係止爪４は、径外方向に撓み可能な弾性爪であり、周方向に間隔をあけて複数配置されている。各係止爪（弾性爪）４は、脚部７の内面から内側に向かうほど軸方向先端に位置する平面状の傾斜面となる上面４Ａと、上面４Ａの内側端から下方に略真っ直ぐ延びる内面４Ｂと、内面４Ｂの下端から脚部７の外面に向かって水平に延びる水平面からなる下面４Ｃとを備えている。図１〜図４において、係止爪４は、側面から見た状態で略三角形状に構成されている。なお、図３にドレンホース継手１の正面図を示しているが、ドレンホース継手１の左側面図及び右側面図は、正面図と同一図面であるため、省略している。
【００２８】
したがって、ドレンホース２をドレンホース継手１に挿入したときにドレンホース２の凸部２Ａが傾斜した上面４Ａに沿って案内されることで弾性爪４が凸部２Ａを乗り越えやすい。また、ドレンホース２の凸部２Ａを乗り越えて凹部２Ｂに弾性爪４が入り込んで係止すると、弾性爪４の下面４Ｃが凸部２Ａに広い面積で当接するため、弾性爪４が凹部２Ｂから外れ難くなる。
【００２９】
また、図７の拡大図に示すように、弾性爪４の外面４Ｄが小径嵌合部３Ｂの外面３ｂよりも内側に位置するように、弾性爪４の肉厚を小径嵌合部３Ｂの肉厚よりも薄く構成している。このように構成することで、ドレンホース２を挿入口１Ｋから挿入して先端側に備えている複数（ここでは８つ）の弾性爪４に差し掛かりドレンホース２の凸部２Ａが複数の弾性爪４を乗り越える時に、複数の弾性爪４が凸部２Ａに押されて径方向外側に撓み変形可能となるように、複数の弾性爪４の外面４Ｄと配管（エルボ配管５）の内面５Ａとの間に撓み代（空間）Ｈを形成することができる。
【００３０】
したがって、挿入口１Ｋから挿入して先端側に備えている複数の弾性爪４に差し掛かりドレンホース２の凸部２Ａが複数の弾性爪４を乗り越える時に、複数の弾性爪４が凸部２Ａに押されて径方向外側に撓み変形することが、複数の弾性爪４の外面４Ｄと配管（エルボ配管５）の内面５Ａとの間に備えた撓み代Ｈによって許容される。そして、複数の弾性爪４が凹部２Ｂに差し掛かると、径方向外側に撓んだ複数の弾性爪４が径方向内側に戻ることで凹部２Ｂに係止し、ドレンホース継手１からのドレンホース２の抜けを確実に防止できる。
【００３１】
また、各脚部７の外面７Ａ及び内面７Ｂが、先端側ほど内側に位置する略同一傾斜角度（僅かな傾斜角度）を有する傾斜面に構成されている。したがって、外面７Ａの傾斜面の案内作用により、配管（エルボ配管５，６）に対してドレンホース継手１をスムーズに挿入することができるだけでなく、上面４Ａの傾斜面の案内作用によりドレンホース継手１に対してドレンホース２をスムーズに挿入することができる。
【００３２】
図７の拡大図に示すように、脚部７の内面７Ｂから各弾性爪４の内側への突出長さＬが、弾性爪４の外面４Ｄと配管（エルボ配管５）の内面５Ａとの間の距離である撓み代Ｈよりも長くなるように構成されている。このように設定することによって、何らかの原因で弾性爪４が径方向外側に撓み変形した場合でも、弾性爪４が凹部２Ｂから外れることを防止でき、弾性爪４を凹部２Ｂに確実に係止させておくことができる。
【００３３】
ドレンホース２を２つの配管（エルボ配管５，６）にドレンホース継手１を用いてそれぞれ接続する手順について説明する。図７に示す内径が２６．４５ｍｍのエルボ配管５の内面５Ａ又はドレンホース継手１の小径嵌合部３Ｂの外面３ｂに接着剤を塗布する。塗布した後、２６．４５ｍｍのエルボ配管５内にドレンホース継手１を挿入して嵌合させる。このとき、小径嵌合部３Ｂと大径嵌合部３Ａとの間の段差部３Ｄがエルボ配管５の上端面５Ｕに当接するまでドレンホース継手１を挿入する。
【００３４】
続いて、ドレンホース２をドレンホース継手１内に挿入する。このとき、ドレンホース２の先端部の凸部２Ａが弾性爪４を外側に撓み変形させながら乗り越えるときに当接音が発生し、その当接音を確認することで、ドレンホース２の先端がドレンホース継手１の先端よりも下方に飛び出したことを確認することができる。なお、図７では、先端から２番目の凹部２Ｂに弾性爪４が係止しているが、１番目又は３番目以降であってもよい。
【００３５】
また、図８に示す内径が３２．５５ｍｍのエルボ配管６の内面６Ａ又はドレンホース継手１の大径嵌合部３Ａの外面に接着剤を塗布する。塗布した後、３２．５５ｍｍのエルボ配管６内にドレンホース継手１を挿入して嵌合させる。このとき、大径嵌合部３Ａの上端のフランジ部３Ｆがエルボ配管６の上端面６Ｕに当接するまでドレンホース継手１を挿入する。
【００３６】
続いて、ドレンホース２をドレンホース継手１内に挿入する。このとき、ドレンホース２の先端部の凸部２Ａが弾性爪４を外側に撓み変形させながら乗り越えるときに当接音が発生し、その当接音を確認することで、ドレンホース２の先端がドレンホース継手１の先端よりも下方に飛び出したことを確認できる。なお、図８では、先端から２番目の凹部２Ｂに弾性爪４が係止しているが、１番目又は３番目以降であってもよい。
【００３７】
図７及び図８のいずれの場合も、接着剤を用いてエルボ配管５，６とドレンホース継手１とを固定しているが、嵌合によりエルボ配管５，６とドレンホース継手１とを固定してもよい。この嵌合で固定する場合には、ドレンホース継手１の外面にシールテープ（図示せず）を巻き付けておくことが好ましい。また、エルボ配管５，６に固定したドレンホース継手１に、ドレンホース２を挿入してもよいし、ドレンホース２の先端部が挿入されたドレンホース継手１を、エルボ配管５，６に固定してもよい。
【００３８】
上記のように、嵌合部（小径嵌合部３Ｂ又は大径嵌合部３Ａ）を配管（エルボ配管５，６）の内側に嵌合させることによって、ドレンホース継手１を装着できる。また、嵌合部（小径嵌合部３Ｂ又は大径嵌合部３Ａ）内に挿入されるドレンホース２の先端部の外面に挿入口とは反対側となる先端側に備えた複数の弾性爪４が係止することによって、挿入口１Ｋからのドレンホース２の抜けを防止することができ、しかも、ドレンホース２の先端の排出口２Ｈを嵌合部（小径嵌合部３Ｂ又は大径嵌合部３Ａ）よりも先端側に位置させることができるので、ドレンホース２の先端から排出される排水が嵌合部（例えば小径嵌合部３Ｂ）の外面３ｂとエルボ配管５の内面５Ａとの間から漏れることがない。
【００３９】
ドレンホース２には、２種類のサイズ（例えば１４ｍｍと１６ｍｍ）が存在するため、本発明のドレンホース継手１の内径をドレンホース２のサイズに合わせた２種類のドレンホース継手１を用意しておくことになる。
【００４０】
尚、本発明は、上記実施形態に限定されるものではなく、本発明の要旨を逸脱しない範囲で種々の変更が可能である。
【００４１】
前記実施形態では、内径が異なる２つの配管（実施形態では、エルボ配管５，６）にドレンホース継手１を装着できるように、ドレンホース継手１に大径嵌合部３Ａと小径嵌合部３Ｂとを備えたが、２つの配管の内径にそれぞれ合致した１つの嵌合部を有する専用のドレンホース継手であってもよい。
【００４２】
また、前記実施形態では、係止爪４を８つ備えたが、螺旋状（螺子状）に連続する又は途切れ途切れに存在する１つ係止爪であってもよいが、２つ以上が好ましい。複数の係止爪の場合、全ての係止爪の幅を同一にしてもよいし、異なる幅を有する少なくとも１つの係止爪を有する構成であってもよい。また周方向で隣り合う係止爪同士の間隔は、均等であってもよいし、少なくとも一部の間隔が他の間隔と異なる構成であってもよい。
【００４３】
また、前記実施形態では、脚部７を８つ備えたが、３つ以上であれば、数は自由に変更可能である。この場合、全ての脚部の幅を同一にしてもよいし、異なる幅を有する少なくとも１つの脚部を有する構成であってもよい。また周方向で隣り合う脚部同士の間隔は、均等であってもよいし、少なくとも一部の間隔が他の間隔と異なる構成であってもよい。また、脚部７の数と係止爪４の数とを同一にしたが、係止爪４の数を脚部７の数よりも少なくしてもよい。また、脚部７の幅と係止爪４の幅とを同一にしたが、脚部７の幅を係止爪４の幅よりも大きくしてもよいし、脚部７の幅を係止爪４の幅よりも小さくしてもよい。
【００４４】
また、前記実施形態では、係止爪４を脚部７の先端に備えているが、脚部７の長手方向途中部分の先端寄りに係止爪４を備えていてもよい。
【００４５】
また、前記実施形態では、大径嵌合部３Ａの軸方向（嵌合方向）の長さと小径嵌合部３Ｂの軸方向（嵌合方向）の長さとを略同一に構成したが、異なる長さに構成してもよい。また、大径嵌合部３Ａ及び小径嵌合部３Ｂの外面を平坦面に形成したが、少なくとも一方の嵌合部３Ａ又は３Ｂの外面に凹凸状となる構造物が設けられていてもよい。
【００４６】
また、前記実施形態では、ドレンホース２が、凸部２Ａと凹部２Ｂとが軸方向に交互に有する波型状に構成したが、表面が凹凸のないフラットな外面を有するドレンホースであってもよい。この場合、ドレンホースのフラットな外面にドレンホース継手の係止爪が食い込む（又はめり込む）ことによって、挿入口からのドレンホースの抜けを防止することになる。
【符号の説明】
【００４７】
１…ドレンホース継手、１Ｋ…挿入口、２…ドレンホース、２Ａ…凸部、２Ｂ…凹部、２Ｈ…排出口、３…嵌合部、３Ａ…大径嵌合部、３Ｂ…小径嵌合部、３Ｄ…段差部、３Ｆ…フランジ部、３ｂ…外面、４…係止爪（弾性爪）、４Ａ…上面、４Ｂ…内面、４Ｃ…下面、４Ｄ…外面、５，６…エルボ配管（配管）、５Ａ，６Ａ…内面、５Ｕ，６Ｕ…上端面、７…脚部、７Ａ…外面、７Ｂ…内面、１１，１２…ドレンホース、１１Ａ…下端、１３…半割部材、１３Ａ…大径内径部、１３Ｂ…小径内径部、１３Ｃ…大径外径部、１３Ｄ…小径外径部、１３Ｆ…鍔部、１３Ｆ…合わせ面、１４…突条、１５…配管、１５Ｕ…上端面、１６…ハケ、Ｈ…撓み代
【図１】
2020056441.tif 000003
【図２】
2020056441.tif 000004
【図３】
2020056441.tif 000005
【図４】
2020056441.tif 000006
【図５】
2020056441.tif 000007
【図６】
2020056441.tif 000008
【図７】
2020056441.tif 000009
【図８】
2020056441.tif 000010
【図９】
2020056441.tif 000011
【図１０】
2020056441.tif 000012
【図１１】
2020056441.tif 000013